(57)【要約】      （修正有）【課題】ノックピンの引き抜きが簡便・安価に行うことができるノックピンを引き抜く治具を提供する。【解決手段】外周部に左オネジが設けられ、内周部の一部に貫通穴を設けかつその一端を六角形状とした左オネジ部材１と、前記左オネジ部材をノックピンに取り付けるボルト２と、前記左オネジ部材の一部と、前記ボルトの間に挟持するスラストベアリング３と、前記左オネジ部材の外周部に装着される、内周部に左メネジが設けられ、外周部は円形状ないしは異形状とし、前記左オネジ部材と前記ノックピンより長くした左メネジホルダー４と、前記左オネジ部材の一端にある六角形状部に係合する六角回転棒５と、六角回転棒に係合するラチェットレンチ６から成るノックピン抜き治具である。【選択図】図１
0003147575.tif 000002
【実用新案登録請求の範囲】
【請求項１】
左オネジ部材の外周部に左オネジが設けられ、内周部の一部に貫通穴を設けかつその一端を六角形状とした左オネジ部材と、前記左オネジ部材をノックピンに取り付けるボルトと、前記左オネジ部材の一部と、前記ボルトの間に挟持するスラストベアリングと、前記左オネジ部材の外周部に装着される、内周部に左メネジが設けられ、外周部は円形状ないしは異形状とし、前記左オネジ部材と前記ノックピンより長くした左メネジホルダーと、前記左オネジ部材の一端にある六角形状部に係合する六角回転棒と、六角回転棒に係合するラチェットレンチから成るノックピン抜き治具。
【請求項２】
前記ボルトと、前記スラストベアリングの間に挟持する特殊ワッシャーを設けた請求項１に記載のノックピン抜き治具。
【考案の詳細な説明】
【技術分野】
【０００１】
本考案は、工作物の外表面に嵌合保持され、その工作物を他の工作物と位置決めする際に使用するノックピンに関し、そのノックピンの引き抜き治具に関するものである。
【背景技術】
【０００２】
２つの工作物例えば上型と下型からなるプレス金型では、これを合致させて上型と下型の相互間で位置決めを行うとき、普通その合わせ面にノックピンを設けている。
このノックピンは、工作物の補修時などに抜き取ることがある。しかし、このノックピンは工作物に堅固に保持されるので、引き抜きには専用の引き抜き治具を使用することが多い。
【０００３】
例えばノックピンを引き抜く治具として、従来は、ノックピンの装着部に立置きされる円筒状の脚部材と、外周面にネジ部を有する中空円筒状で前記脚部材の内周面と螺合するジャッキ部材と、前記ジャッキ部材の中空部に挿入した、下端に前記ノックピンの端面に設けたネジ穴に螺合するネジ部及び上端に該ジャッキ部材の上端面と係合する係合部とを備えた抜取りロッドから成る、ノックピンを引き抜く構造のものが知られている(例えば、実用新案文献１参照)。
【０００４】
【特許文献１】実開平5-44472
【考案の開示】
【考案が解決しようとする課題】
【０００５】
本考案の課題は、ノックピンの引き抜きが簡便・安価に行うことができるノックピンを引き抜く治具にある。現在の治具では、ノックピンを引き抜く作業の作業効率低下及びノックピン抜き治具製作が高コストになる。
【課題を解決するための手段】
【０００６】
本考案は、左オネジ部材の外周部に左オネジが設けられ、内周部の一部に貫通穴を設けかつその一端を六角形状とした左オネジ部材と、前記左オネジ部材をノックピンに取り付けるボルトと、前記左オネジ部材の一部と、前記ボルトの間に挟持するスラストベアリングと、前記左オネジ部材の外周部に装着される、内周部に左メネジが設けられ、外周部は円形状ないしは異形状とし、前記左オネジ部材と前記ノックピンより長くした左メネジホルダーと、前記左オネジ部材の一端にある六角形状部に係合する六角回転棒と、六角回転棒に係合するラチェットレンチから成るノックピン抜き治具である。
【０００７】
前記ボルトと、前記スラストベアリングの間に挟持する特殊ワッシャーを設けた請求項１に記載のノックピン抜き治具である。
【考案の効果】
【０００８】
本考案の効果は、ノックピンを引き抜く作業を市販品であるラチェットレンチで行うことによる、作業者のノックピン引き抜き作業の作業効率向上にある。即ち本治具は、プレスなどに取り付けられた金型からノックピンを抜き取るとき、その作業スペース特に、プレスに装着されているホルダーとか金型による上下方向への制約があり、エアーインパクトレンチなどが使用できないときも用いることができ、作業が容易である。且つラチェットレンチは、操作中に上下動が無く一定位置で使用でき安定した作業が可能である。更に、別の効果として本治具の製作では、市販品を多用し簡便に製作することができ、且つノックピンのサイズにも共用可能及び治具を小形化したノックピンの抜き治具にすることができ、大幅なコストダウンが可能である。
【考案を実施するための最良の形態】
【０００９】
以下、図面を参照して本考案を具体的に説明する。
図１は本考案のノックピンを引き抜く治具の一実施例を示す断面図、図２はノックピン引き抜き操作開始時の一実施例を示す断面図、図３はノックピン引き抜き操作途中の一実施例を示す断面図、図４は図３から操作が進行した一実施例を示す断面図、図５は特殊ワッシャーを用いた一実施例を示す断面図である。
図１における左オネジ部材１は、外周部に左オネジを設けた左オネジ部１ａを有する。なお、左オネジ部材１は、左オネジ部１ａの一部を削除しかつ、左オネジ部より外形を小さくした円筒形状部１ｂを設けても良い。左オネジ部材１は、その内周部の一部に貫通穴１ｃを設けボルト２が取付け可能な形状とし、かつその他端は六角形状１ｄ（図２）とする。なお、この六角形状１ｄは、ノックピンＮのサイズによって四〜十二角形状としてもよい。また、この六角形状１ｄを、左オネジ部材１の内周部に設けることで、左オネジ部材の外径を小形にできる。前記ボルト２は、市販の六角穴付ボルトなどを使用する。ボルト２は、左オネジ部材１を介してノックピンＮに装着可能とする。スラストベアリング３は、ボルト２と左オネジ部材１で挟持する。スラストベアリング３は、スラストボールベアリング・オイルレスベアリング・市販のワッシャーなどを用いる。状況によっては、スラストベアリング３を用いないで省略することもできる。      
【００１０】
図１に於ける左メネジホルダー４は、内周部の全域又は一部に左メネジ部４ａを有し、外周部４ｃは形状を円形状ないし六角形状等の異形状とする。内周部の一部にメネジを有しないときは、この部分を左メネジ部４ａより内径を大きくした円筒形状部４ｂとする。この円筒形状部４ｂは、後で述べるラチェットレンチ６と嵌合できる寸法とする。前記左オネジ部１ａ及び左メネジ部４ａのネジ仕様は、本ノックピン抜き治具の目的を達成させる最適なものとする。外周部４ｃの形状は、本ノックピン抜き治具の取扱いの便宜を提供する。左メネジホルダー４は、左オネジ部材１及びノックピンＮの長手方向の長さより長くする。この左メネジホルダー４の図１での上下方向長さは、ノックピンＮの長さが例えば８０ｍｍ程度なら１００ｍｍ程度とするのが適切である。左メネジ部４ａは、左オネジ部１ａとネジ結合可能とする。これにて両者の関係位置は一定に保つことができる。なお、この左メネジホルダー４の外径は、前記左オネジ部材１の外径の小形化で、この外径も小形にできる。一般に金型のノックピン近辺には、位置決めピン・ガイドピンなどが有り、作業性からこの左メネジホルダー４の外径は、より小さいのが望ましい。
左オネジ部材１と左メネジホルダー４は、必要なら材料として特殊鋼等を使用し熱処理にて硬度を高め剛性の強い部材を用いる。
図１に於ける六角回転棒５は、六角形状した棒部材の鋼材で、市販品などを必要により加工して用いる。六角回転棒５は、前記左オネジ部材１の六角形状１ｄに係合する。こため六角回転棒５の形状は、前記左オネジ部材１の六角形状１ｄに合致させる。
ラチェットレンチ６は、前記左メネジホルダー４の円筒形状部４ｂを介して六角回転棒５に係合させる。ラチェットレンチ６は市販品を用いる。
【００１１】
本ノックピン抜き治具は、ネジ穴を有するノックピンＮに結合されたボルト２に、引張力を与えノックピンの引き抜を容易に行うようにした考案である。
操作はまず、図２に示すように左オネジ部材１とノックピンＮを、スラストベアリング３を通したボルト２で締付けをする。次に左メネジホルダー４の左メネジ部４ａは、左オネジ部材１の円筒形状部１ｂ及び左メネジホルダー４の内周の一部である円筒形状部４ｂをガイドとして、左オネジ部１ａにネジ結合可能な状態とする。
操作は、引き続き左メネジホルダー４を手で回転させ、左メネジホルダー４の端面を金型面に当接し図３の状態とする。
この状態で、図１に示す六角回転棒５を、左オネジ部材１の六角形状１ｄに装着する。次にラチェットレンチの部材装着部を、前記左メネジホルダー４の内周の一部である円筒形状部４ｂを介して六角回転棒５に取り付ける。
ノックピンＮの引き抜き作業は、ラチェットレンチを操作して左オネジ部材１を左回転する。なお、左メネジホルダー４の回転を防止するためその外周部４ｃを手で保持する。ラチェットレンチの操作を続けると、左オネジ部１ａと左メネジ部４ａは左ネジでのネジ結合により、図４に示すように左オネジ部材１が上方に移動する。この動作でノックピンＮは、左オネジ部材１及びボルト２と一体となって移動し、ノックピンＮの金型からの引き抜が可能となる。
以上の説明では、ラチェットレンチを用いるとしたがこれに変えて、市販のエアーインパクトレンチ、六角スパナなどの工具を使用することもできる。
【００１２】
左オネジ部１ａと左メネジ部４ａ及びスラストベアリング３部分は、潤滑剤などを用い軽く摺動させるのが望ましい。また、左オネジ部１ａ及び左メネジ部４ａのネジの長さは、両者の取付け並びにノックピンの抜き操作に最適なものとする。
【００１３】
ノックピンＮのサイズが異なるときは、左オネジ部材１を取り替えノックピンＮのサイズに合致したものを使用する。
なお、ノックピンＮのサイズ差が僅かなときは、図５に示すようにボルト２とスラストベアリング３の間に挟持する特殊ワッシャー７を設ける。特殊ワッシャー７は、スラストベアリング３の内径部にも位置する段付のある円形状のワッシャーとする。状況によってはこのワッシャーは単なる円形状のものでもよい。特殊ワッシャー７は、ボルト２及びノックピンＮのネジサイズに合致した大きさとする。
なお、本抜き治具は、ノックピン、ダウエルピン、平行ピン等各種機器に使用される全てのピンに適用できる。
【図面の簡単な説明】
【００１４】
【図１】は一実施例を示す断面図である
【図２】は操作開始時の一実施例を示す断面図である
【図３】は操作途中の一実施例を示す断面図である
【図４】は図３から操作が進行した一実施例を示す断面図である
【図５】は特殊ワッシャーを用いた一実施例を示す断面図である
【符号の説明】
【００１５】
１左オネジ部材
２ボルト
３スラストベアリング
４左メネジホルダー
５六角回転棒
６ラチェットレンチ
７特殊ワッシャー
Ｎノックピン  
【図１】
0003147575.tif 000003
【図２】
0003147575.tif 000004
【図３】
0003147575.tif 000005
【図４】
0003147575.tif 000006
【図５】
0003147575.tif 000007